(57)【要約】【課題】イチゴ栽培土壌から毛根を分離する機械。【解決手段】四角筒状の毛根分離枠１と、その直下から所定角度で傾斜している毛根選別台２とからなり、毛根分離枠１内に２本の回転軸３が平行に軸支されていて、互いに内側に回転し、各回転軸（３）には放射状に突出片15のある回転羽根が複数枚互いに平行に固定されていて、一方の回転軸３には低速回転羽根４が、他方の回転軸３には高速回転羽根５が互に相手側の回転羽根を挟むように位置して毛根分離枠１内の横断面を充たしており、毛根選別台２はスプリングで懸架され振動付与モーターが一体に取り付けられており、毛根選別台２における毛根分離枠１の直下が平板部６で、それより下降する個所は毛根選別台２の傾斜方向と平行に配置した細い丸棒７の列からなり、土壌が丸棒７間の隙間から落下するのを栽培用のプランターで受け、丸棒７の傾斜列下端から転落する毛根を収拾排除する。【選択図】      図１
2005304317.tif 000002
【特許請求の範囲】
【請求項１】
四角筒状の毛根分離枠（１）と、その直下から所定角度で傾斜している毛根選別台（２）とからなり、毛根分離枠（１）内に２本の回転軸（３）が平行に軸支されていて、互いに内側に回転し、各回転軸（３）には放射状に突出片（15）のある回転羽根が複数枚互いに平行に固定されていて、互に相手側の回転羽根を挟むように位置して毛根分離枠（１）内の横断面を充たしており、毛根選別台（２）はスプリングで懸架され振動付与モーターが一体に取り付けられており、毛根選別台（２）における毛根分離枠（１）の直下が平板部（６）で、それより下降する個所は毛根選別台（２）の傾斜方向と平行に配置した細い丸棒（７）の列からなるイチゴ栽培土壌の毛根分離機。
【請求項２】
一方の回転軸（３）には低速で回転する低速回転羽根（４）が、他方の回転軸（３）には高速で回転する高速回転羽根（５）が固定されている請求項１記載のイチゴ栽培土壌の毛根分離機。
【請求項３】
回転羽根の厚さが3.2 ｍｍ、円孔（８）が25ｍｍφ、基部円周（９）が50ｍｍφ、回転円周（10）が半径60ｍｍであり、突出片（15）の先端幅が5 ｍｍであって、低速回転羽根（４）は同形の突出片（15）が６枚からなり、低速回転羽根（４）が左側に位置する場合、その形状として突出片（15）の左側辺（13）が、基部円周（９）を６等分する直径線（14）を基部円周（９）から回転円周（10）まで延長したものであり、突出片（15）の右側辺（12）が、基部円周（９）を６等分するさきの直径線（14）を右に３０度回転した線と基部円周（９）の交点と、突出片（15）の先端の一端を結ぶものからなり、一方、高速回転羽根（５）は同形の突出片（15）が４枚からなり、高速回転羽根（５）が右側に位置する場合、その形状として突出片（15）の右側辺（12）が、直径線（14）により基部円周（９）が４等分される点と、さきの直径線（14）を左に１５度回転した線の延長と回転円周（10）の交点を結ぶものであり、突出片（15）の左側辺（13）が、最先の直径線（14）を左に45度回転した線と基部円周（９）の交点と、突出片（15）の先端の一端を結ぶものからなり、毛根分離枠（１）内に、低速回転羽根（４）が７枚、高速回転羽根（５）が８枚、各回転軸（３）に所定間隔で取り付けられていて、低速回転羽根（４）の回転数がｒｐｍ２３で、高速回転羽根（５）の回転数がｒｐｍ９８である請求項２記載のイチゴ栽培土壌の毛根分離機。
【発明の詳細な説明】
【技術分野】
【０００１】
本発明はイチゴ栽培土壌の毛根分離機に関する
【背景技術】
【０００２】
従来、イチゴ栽培土壌に毛根を残したまま使用すると根の発育が妨げられ、新規の根が腐り、支障をきたす。イチゴ栽培土壌の土壌が貴重であるため、毛根の分離が手作業によりおこなわれている。この作業には多くの人手と時間を要するので、その改善が望まれているが、業界として未解決のままである。イチゴは根の量が多く、毛根状の部分が多いので、本願ではイチゴの根全体を毛根と称している。
【０００３】
上記作業を改善しようとして、円筒面に多数の円孔を空け、回転する円筒に入れた毛根付きの土壌から土壌のみを排出せんとしたが、その試みは成功していない。砕土機に関するものとして、特許文献１などがみられるが、広い土壌に対するものであり、砕土と根が混在するので、本発明の目的には向かない。また、特許文献２などもみられるが、広い土壌における土壌の膨軟化のみで根の分離ができないものであるため前者と同様に本発明の目的には向かない。
【特許文献１】特開2000-23502
【特許文献２】実開平7-28301
【発明の開示】
【発明が解決しようとする課題】
【０００４】
ここにおいて、本発明者はイチゴ栽培土壌から効率良く毛根を分離する機械を提供せんとするものである。
【課題を解決するための手段】
【０００５】
ここにおいて本発明者は四角筒状の毛根分離枠１と、その直下から所定角度で傾斜している毛根選別台２とからなり、毛根分離枠１内に２本の回転軸３が平行に軸支されていて、互いに内側に回転し、各回転軸３には放射状に突出片15のある回転羽根が複数枚互いに平行に固定されていて、図３に示すごとく、互に相手側の回転羽根を挟むように位置して毛根分離枠１内の横断面を充たしており、毛根選別台２はスプリングで懸架され振動付与モーターが一体に取り付けられており、毛根選別台２における毛根分離枠１の直下が平板部６で、それより下降する個所が毛根選別台２の傾斜方向と平行に配置した細い丸棒７の列からなるイチゴ栽培土壌の毛根分離機を使用すれば、イチゴ栽培土壌から毛根を分離することができることを見出すに至った。
【０００６】
さらに、このイチゴ栽培土壌の毛根分離機において、一方の回転軸（３）には低速で回転する低速回転羽根（４）が、他方の回転軸（３）には高速で回転する高速回転羽根（５）が使用されていると好適であることを見出した。
【０００７】
そして、互いに回転数の異なる回転羽根群を使用する上記イチゴ栽培土壌の毛根分離機において、回転羽根の厚さが3.2 ｍｍ、円孔８が25ｍｍφ、基部円周９が50ｍｍφ、回転円周10が半径60ｍｍであり、突出片15の先端幅が5 ｍｍであって、低速回転羽根４は同形の突出片15が６枚からなり、低速回転羽根４が左側に位置する場合、その形状は図２の（ｃ）に表すが、文言で示せば、突出片15の左側辺13が、基部円周９を６等分する直径線14を基部円周９から回転円周10まで延長したものであり、突出片15の右側辺12が、基部円周９を６等分するさきの直径線14を右に３０度回転した線と基部円周９の交点と、突出片15の先端の一端を結ぶものからなり、一方、高速回転羽根５は同形の突出片15が４枚からなり、高速回転羽根５が右側に位置する場合、その形状は図２の（ｄ）に表すが、文言で示せば、、突出片15の右側辺12が、直径線14により基部円周９が４等分される点と、さきの直径線14を左に１５度回転した線の延長と回転円周10の交点を結ぶものであり、突出片15の左側辺13が、最先の直径線14（図２の（ｄ）における符合14）を左に45度回転した線と基部円周９の交点と、突出片15の先端の一端を結ぶものからなり、図３に示すごとく、毛根分離枠１内に、低速回転羽根４が７枚、高速回転羽根５が８枚、各回転軸３に所定間隔で取り付けられていて、低速回転羽根４の回転数がｒｐｍ２３で、高速回転羽根５の回転数がｒｐｍ９８であれば最好適の結果が得られることを見出すに至った。なお、回転数に関しては適用範囲があるものとみられる。
【発明の効果】
【０００８】
本発明によるイチゴ栽培土壌の毛根分離機を使用すれば、都合よく、土壌のみが丸棒７間の隙間から落下するので、これを収納箱で受け、毛根のみが丸棒７の傾斜列下端から転落するので、これを収集排除すればよく、少数の人手で短時間に作業が終了するので、極めて好都合である。
【発明を実施するための最良の形態】
【０００９】
本発明のイチゴ栽培土壌の毛根分離機について、さらに詳しく述べれば、高所（現今におけるのイチゴ栽培苗床の高さ程度）に四角筒状の毛根分離枠１があり、毛根分離枠１の投入口には傾斜面をなす比較的大きな導入板を接続してある。
【００１０】
発明を実施するための最良の例として、毛根分離枠１の開口（四角断面）を210 ×210 ｍｍとし、毛根分離枠１内に平行な２本の回転軸３が軸支されていて、各回転軸３は互いに内側に回転し、各回転軸３には放射状に突出片15のある回転羽根が複数枚（低速回転羽根４は７枚、高速回転羽根５は８枚）所定間隔で平行に固定されており、かつ相互の回転羽根群は図３に示すごとく互に相手側の回転羽根を挟むように位置して毛根分離枠１内の横断面を充たしている。なお、平行な２本の回転軸３は通常、下方に位置する毛根選別台２の傾斜方向と直交する方向に設置して使用する。
【００１１】
低速回転羽根４用と高速回転羽根５用の２本の回転軸３の駆動について述べれば、高速回転羽根５用の回転軸３と一体の歯車とギヤードモーターに直結した歯車（150rpm  ）をチェーンで連結して高速回転羽根５用の回転軸３に所望の回転数を与え、別途、低速回転羽根４用の回転軸３と高速回転羽根５用の回転軸３は歯車の歯合を介して連結し、そのギヤー比により低速回転羽根４について所望の回転数が得られるようにしてある。なお、回転軸３に対する低速回転羽根４と高速回転羽根５の取り付けに当たってはそれぞれ羽根の突出片15の方向が同一にならないように適宜（例えば外側方向に15度づつ）ずらして溶接し、低速回転羽根４と高速回転羽根５の突出片15が重なり合うタイミングをずらして、モターの負荷を軽減するようにしたほうがよい。
【００１２】
低速回転羽根４ならびに高速回転羽根５はそれぞれ図３（ｃ）、（ｄ）に示すごとき形状のものが最好適である。すなわち、回転羽根の厚さが3.2 ｍｍ、円孔８が25ｍｍφ、基部円周９が50ｍｍφ、回転円周10が半径60ｍｍであり、突出片15の先端幅が5 ｍｍであって、低速回転羽根４は同形の突出片15が６枚からなり、低速回転羽根４が左側に位置する場合、その形状は図２の（ｃ）に表すが、文言で示せば、突出片15の左側辺13が、基部円周９を６等分する直径線14を基部円周９から回転円周10まで延長したものであり、突出片15の右側辺12が、基部円周９を６等分するさきの直径線14を右に３０度回転した線と基部円周９の交点と、突出片15の先端の一端を結ぶものからなり、一方、高速回転羽根５は同形の突出片15が４枚からなり、高速回転羽根５が右側に位置する場合、その形状は図２の（ｄ）に表すが、文言で示せば、、突出片15の右側辺12が、直径線14により基部円周９が４等分される点と、さきの直径線14を左に１５度回転した線の延長と回転円周10の交点を結ぶものであり、突出片15の左側辺13が、最先の直径線14（図２の（ｄ）における符合14）を左に45度回転した線と基部円周９の交点と、突出片15の先端の一端を結ぶものからなるようにし、図３に示すごとく、毛根分離枠１内に、低速回転羽根４が７枚、高速回転羽根５が８枚、各回転軸３に所定間隔で取り付けられていて、高速回転羽根５の回転数をｒｐｍ９８、低速回転羽根４の回転数をｒｐｍ２３にする。
【００１３】
毛根選別台２はスプリングで４個所懸架しておき、バイブレーターとして振動付与モーター（0.2KW ）を毛根選別台２の枠と一体に固定しておき、毛根の分離と移動を促す。毛根分離枠１の直下から毛根選別台２を所定角度（例えば15度）に傾斜して配置しておき、全長が750mm の毛根選別台の周囲三方向には毛根等の逸脱防止の傾斜枠を施してあり、毛根分離枠直下を平板部６（傾斜方向の長さ 300mm）にしておく。それがなければ縦方向に落下する毛根が丸棒６間から落下するので、平板部６により毛根が横方向になるようにするのである。また、平板部６はバイブレーターの取り付けにも利用することができる。平板部６から下降する個所には平行に配置した細い丸棒６（6.5mm φ、長さ450mm ）を所定間隔（１０ｍｍ）で配列してある。以上の結果、低速回転羽根４と高速回転羽根５の協働で毛根が切断されて土壌から分けられ、丸棒６間の隙間から土壌が落下するのを収納箱で受け、丸棒６の傾斜列下端から転落する毛根を収集排除する。
【産業上の利用可能性】
【００１４】
本発明によるイチゴ栽培土壌の毛根分離機を使用すれば、少数の人手で短時間に作業が終了するので、イチゴ栽培農家にとり人件費節約の利益をもたらす。
【図面の簡単な説明】
【００１５】
【図１】毛根分離枠と毛根選別台の位置関係を示す側面図（ａ）と毛根選別台の平面図（ｂ）
【図２】実施例による低速回転羽根（ｃ）と高速回転羽根（ｄ）の形状を示す図
【図３】実施例による毛根分離枠内の低速回転羽根と高速回転羽根の位置関係を示す説明図
【符号の説明】
【００１６】
１  毛根分離枠
２  毛根選別台
３  回転軸
４  低速回転羽根
５  高速回転羽根
６  平板部
７  丸棒
８  円孔
９  基部円周
10  回転円周
12  右側辺
13  左側辺
14  直径線
15  突出片
【図１】
2005304317.tif 000003
【図２】
2005304317.tif 000004
【図３】
2005304317.tif 000005
【手続補正書】
【提出日】平成17年2月14日(2005.2.14)
【手続補正１】
【補正対象書類名】明細書
【補正対象項目名】０００７
【補正方法】変更
【補正の内容】
【０００７】
そして、互いに回転数の異なる回転羽根群を使用する上記イチゴ栽培土壌の毛根分離機において、回転羽根（低速回転羽根と高速回転羽根の両方を指す）の厚さが3.2 ｍｍ、円孔８が25ｍｍφ、基部円周９が50ｍｍφ、回転円周10が半径60ｍｍであり、突出片15の先端幅が5 ｍｍであって、低速回転羽根４は同形の突出片15が６枚からなり、低速回転羽根４が左側に位置する場合、その形状は図２の（ｃ）に表すが、文言で示せば、突出片15の左側辺13が、基部円周９を６等分する直径線14を基部円周９から回転円周10まで延長したものであり、突出片15の右側辺12が、基部円周９を６等分するさきの直径線14を右に３０度回転した線と基部円周９の交点と、突出片15の先端の一端を結ぶものからなり、一方、高速回転羽根５は同形の突出片15が４枚からなり、高速回転羽根５が右側に位置する場合、その形状は図２の（ｄ）に表すが、文言で示せば、、突出片15の右側辺12が、直径線14により基部円周９が４等分される点と、さきの直径線14を左に１５度回転した線の延長と回転円周10の交点を結ぶものであり、突出片15の左側辺13が、最先の直径線14（図２の（ｄ）における符号14）を左に45度回転した線と基部円周９の交点と、突出片15の先端の一端を結ぶものからなり、図３に示すごとく、毛根分離枠１内に、低速回転羽根４が７枚、高速回転羽根５が８枚、各回転軸３に所定間隔で取り付けられていて、低速回転羽根４の回転数がｒｐｍ２３で、高速回転羽根５の回転数がｒｐｍ９８であれば最好適の結果が得られることを見出すに至った。なお、回転数に関しては適用範囲があるものとみられる。